(57)【特許請求の範囲】
【請求項１】
電気通信装置における追加サービスを管理するための方法において、
−呼出す加入者ステーション（ＡＲ）からの呼出し（Ｒ１）がインテリジェント・ノード（ＳＣＰ）に導かれ、このノードが、呼出された加入者側で能動化された追加サービスを進行させ、場合によっては呼出し（Ｒ１）を呼出された加入者ステーション（ＡＧ）につなぎ、
−利用可能な追加サービス（ＺＤＶ）に基づいてサービスメニュー（ＢＭ）が発生され、このサービスメニュー（ＢＭ）が呼出された加入者ステーションに伝達され、呼出す加入者ステーション（ＡＲ）に関する追加サービス（ＺＤＶ）の管理を可能にすることを特徴とする電気通信装置における追加サービスの管理方法。
【請求項２】
−サービスメニュー（ＢＭ）がワイヤレス・アプリケーション・パート（ＷＡＰ ）サイトとして伝達されることを特徴とする請求項１記載の方法。
【請求項３】
−サービスメニュー（ＢＭ）が呼出された加入者ステーション（ＡＧ）への呼出しの報知の間に既に伝達されることを特徴とする請求項１または２記載の方法。
【発明の詳細な説明】
【０００１】
本発明は、利用者に種々のサービスを提供する電気通信、特に移動通信、の分野におけるインテリジェント・ネットワークに関する。このようなサービスはたとえばプリペイド・サービス（Prepaid Service/ＰＰＳ）、仮想私設網（Virtual Private Network/ＶＰＮ）または、種々の局のまたは種々の通信網内の加入者が常に同一の加入者番号のもとに得ることのできるパーソナル・ナンバー・サービス（Personal Number Service/ＰＮＳ）を含んでいる。
【０００２】
これらの一次的なサービスとならんで、利用者個別に利用可能かつ選択/選択可能な機能またはサービス（追加サービス）の提供が増加している。このような追加的な機能は、たとえば用語「ブラックリスト」（呼出しが望まれず、排除されるべき加入者のリスト）、「ホワイトリスト」（呼出しが望まれている加入者）、「フレンド・アンド・ファミリ」（たとえば価格割引と関連して優遇される加入者）または「ハンティングリスト」（加入者の一人が連絡のとれている間は、複数の加入者間の順次の伝達）のもとに知られている。
【０００３】
それ自体は公知のＤＴＭＦメニューを介しての追加サービス（たとえば予め定められたサービスの１つへのまたはそれからの加入者識別番号の追加または削除）の利用者または加入者個別の設定（管理）は比較的費用がかかる。なぜならば、加入者から言語に基づく対話で種々の選択オプションおよび続いて手作業でのインプットが要求されるからである。たとえば加入者がその加入者ステーション（たとえば移動無線電話／ハンディ）から別の呼出し番号をその「ブラックリスト」のなかにインプットしようとすると、その加入者は先ず特定のサービス番号を選択しなければならない。その後に初めてその加入者に、場合によっては前もってのアイデンティフィケーションおよびオーデンティフィケーションの後に、各呼出し番号の手作業でのインプットが許される。このインプットは、確認のために繰り返される（告げられる）長い数／データ列として行われる。この手順は多数の間違いの原因を含んでおり、また比較的時間費用がかかる。
【０００４】
本発明の課題は、インテリジェント・ネットワークに追加機能を簡単な手段により加入者個別に設定し、取消しまたは変更し得る（管理）方法を提供することにある。
【０００５】
この課題は、本発明によれば、電気通信装置における追加サービスを管理するための方法において、呼出す加入者ステーションからの呼出しがインテリジェント・ノードに導かれ、このノードが加入者側で能動化された追加サービスを進行させ、場合によっては呼出しを呼出された加入者ステーションにつなぎ、利用可能な追加サービスに基づいてサービスメニューが発生され、このサービスメニューが呼出された加入者ステーションに伝達され、呼出す加入者ステーションに関する追加サービスの管理を可能にすることにより解決される。
【０００６】
本発明による方法では、到来する呼出しの際にそれぞれ対応付けられているインテリジェント・ノードが呼出される（トリガーされる）。これは、宛て先交換局に到来する呼出しの際に、続いて（呼出された）加入者ステーション識別に対応付けられているインテリジェント・ノードがトリガーされることにより実現することができる。「サービス・コントロール・ポイント」（ＳＣＰ）とも呼ばれるノードの管轄は種々の規範に関係し、たとえばそれぞれネットワークを通る経路制御の際に確認された、呼出された加入者ステーションの現実の居場所に合わされている。ノードはたとえば接続構成の枠内で、呼出された加入者ステーションの居場所に対応付けられている交換局（モバイル・スイッチ、ＭＳＣ）の固定ネットワークの利用のもとにトリガーされる。
【０００７】
インテリジェント・ノードにおいて、または他の適切な保管場所において（たとえばノードＳＣＰからの周期的に更新される反映されるデータを含んでいるいわゆる「サービス・マネージメント・ポイント」／ＳＭＰにおいて）、現在個々の加入者ステーションにとって自由に利用可能でありかつ加入者側で能動化された追加サービスが呼出され、進行させられる。たとえば、この進行は、呼出す加入者ステーションの加入者識別番号が「ホワイトリスト」に含まれており、従って呼出された加入者ステーションにつながれるという結果を生み出す。
【０００８】
本発明の主要な視点は、たとえばインテリジェント・ノードから得られるデータに基づいて追加サービスを介してサービスメニューが発生され、それが呼出された加入者ステーションに伝達されることにある。この（目に見える）サービスメニューを介して、特に有利な方法で、呼出された加入者がその加入者ステーションを介して呼出す加入者ステーションに関して、またはその加入者識別番号に関して追加サービスの管理を行うことができる。たとえば、呼出す加入者ステーションが、呼出す加入者ステーションの（好ましくは指示された）加入者識別番号がたとえば所望の追加サービスの相応する標識またはクリックによりメニュー（「ファミリー・アンド・フレンド」）に受け渡されることによって、追加サービス「ファミリー・アンド・フレンド」に簡単に受け入れられ得る。同じようにして、たとえば加入者識別番号を追加サービスから除去または変更するため、追加サービスが管理され得る。
【０００９】
従って、本発明方法の主要な視点は、呼出す加入者ステーションの加入者識別番号に関係して上位の論理によりこの呼出し番号に関して呼出された加入者ステーションに対して利用可能な追加サービスが組み立てられ、選択可能性と一緒に呼出された加入者ステーションに伝達されることである。それにより、加入者が費用のかかる管理手順を強いられることなしに、各呼出す加入者ステーションとの会話の前、後または間に追加サービスの管理が有利に行われ得る。特に、後続の手作業および（または）言語での管理希望のインプットを伴う相応するサービス番号の費用のかかる呼出しが省略される。
【００１０】
本発明の有利な実施態様は、サービスメニューがワイヤレス・アプリケーション・パート（ＷＡＰ）サイトとして伝達されることにある。
【００１１】
用語「ワイヤレス・アプリケーション・パート」（ＷＡＰ）とは、たとえば好ましくはより大きいディスプレイ装置を備えている移動無線局とインターネットにより通信する電気通信の分野におけるますます広がる技術を意味する。本発明の主要な視点は移動無線局とインテリジェント・ノードとの間の便利な対話システムとしてこの技術を使用することにある。相応するＷＡＰサイトはインテリジェント・ノードまたは外部の論理（前記「サービス・マネージャー・ポイント／ＳＭＰ」（ＳＰＣクラスター）のような）により構成される。
【００１２】
本方法の好ましい実施態様は、サービスメニューが呼出された加入者ステーションへの呼出しの報知の間に既に伝達されることにある。
【００１３】
この場合、加入者は特に早い時点で、場合によっては呼出しをそもそも新たに受ける必要なしに、呼出しをその追加サービスの管理のために利用することができる。
【００１４】
以下、本発明の１実施例を図面により一層詳細に説明する。
【００１５】
図１には、呼出す加入者ステーションＡＲの呼出しＲ１がたとえば固定ネトワークから交換局（モバイル・スイッチ）ＭＳＣに到達する状況が示されている。これは、使用されるプロトコル（たとえばＩＳＵＰ）に応じて、呼出す加入者ステーションの加入者識別番号（ＣｌｇＮｏ：０３０３８６１１１１）および呼出される加入者ステーションの加入者識別番号（ＣｌｄＮｏ  ＋４９１７１１２３４５）を含んでいる「イニシャル・アドレス・メッセージ／ＩＡＭ」の形態で行われる。図１にはその際にデータ伝送は破線の矢印により示され、これに対し音声伝送は実線の矢印により示されている。交換局ＭＳＣは入来する呼出しを標準化さたプロトコルＩＮＡＰに従っていわゆる「イニシャル・ディテクション・ポイント／（ＩＤＰ）」として関与する加入者識別番号の指定のもとにインテリジェント・ノードＳＣＰ（サービス・コントロール・ポイント）に報知する。このノードにおいてそれ自体は公知（「クラシック・サービス」）の方法で交換局ＭＳＣを介して、移動電話として構成されている呼出された加入者ステーションＡＧへの音声接続が形成される。この接続はインテリジェント・ノードＳＣＰと加入者ステーションＭＳＣとの間のＩＮＡＰオペレーション「コネクト」ＣＯＮとして呼出された加入者識別番号のＣｌｄＮｏの指定のもとに示されている。インテリジェント・ノードＳＣＰは接続構成の枠内で、利用可能にかつ加入者側で能動化されるかぎり、追加サービスＺＤを進行させる。このような追加サービスはたとえば冒頭に詳細に示されたサービス「フレンド・アンド・ファミリー」または「ブラックリスト」であってよい。このことは、呼出す加入者ステーションＡＲの加入者識別番号（０３０３８６１１１）が追加サービスの相応するリストに記入されていることを前提とする。「ブラックリスト」に記入されている場合には、呼出しは呼出された加入者ステーションＡＧにつながれず、または少なくとも接続構成が完全なものにされない。
【００１６】
利用可能な追加サービスＺＤＶ、すなわち呼出された加入者ステーションＡＧに対して予定または支払いをされている追加サービス、に基づいて、呼出す加入者ステーションＡＲの加入者識別番号を考慮に入れて（すなわち、各追加サービスが呼出す加入者ステーションに適用可能であるかぎり）、サービスメニューＢＭまたはメニューサイトが発生される。好ましくは、呼出す加入者ステーションの現在の加入者識別番号に対して能動化可能または管理可能である追加サービスのみがメニューに受け入れられる。
【００１７】
サービスメニューサイトの伝送のためには、ワイヤレス・アプリケーション・パート（ＷＡＰ）技術が使用される。その際にサービスメニューサイトはＷＭＬ（ワイアレス・マークアップ・ランゲージ）として記述される（ＷＡＰ作成）。ＷＡＰは、特にインターネット端子を有する移動無線電話用として開発されているそれ自体は知られている利用者に便利な通信技術を意味する。通信応用の分野においてＷＡＰ技術はＷＴＡとも呼ばれる。ＷＡＰサイトはワイアレス・アプリケーション・パート・ゲートウェイＷＡＰＧＷを介して交換局ＭＳＣに、またそこから呼出された加入者ステーションＡＧに伝達される。このことが既に加入者ステーションＡＧへの呼出し報知と一緒に行われることは好ましい。実際には既に上述のように２つの接続チャネル、すなわち加入者の間のチャネル（音声チャネル）および加入者ステーションＡＧとノードＳＣＰとの間のデータチャネル、が構築される。これらの接続チャネルの間の相関および協調は、ノードＳＣＰまたはマネージメントＳＭＰにより行われる。
【００１８】
図２には呼出された加入者ステーションＡＧのディスプレイＤＰ上のＷＡＰサイトが示されている。呼出された加入者（ムスターマン氏）はディスプレイＤＰ内で呼出す加入者ステーションの加入者識別番号（Ｃａｌｌ：０３０３８６１１１１）を認識し、簡単なメニュー（バー上下）およびキーＴの相応する操作（Ｓｒｌｅｃｔ）によりたとえば「ブラックリスト」の番号を付加（Ａｄｄ  Ｎｏ  ｔｏ  Ｓｅｒｖｉｃｅ）することができる。同様の方法で、「ホワイトリスト」の呼出し番号を付加し、またはこれから再び除去することも可能である。サービス管理のためのこのインプットはＷＡＰ技術によりノードＳＣＰに導かれ、このノードが追加サービスＺＤを相応して実現する。
【００１９】
それによって加入者に、ＷＡＰ／ＷＴＡ技術を用いて非常に簡単にかつわずかなキー操作により実行することができる、呼出しに関する非常に洗練された管理可能性が与えられる。サービスメニューの内容は加入者ステーションに目に見える形態で与えられることは有利であり、その結果、冒頭に記載された費用のかかる音声対話および膨大なインプットが省略される。呼出しが移動加入者ステーションから発する場合、同様のことが可能である（モバイル・オリジネーティング・コール／ＭＯＣ）。
【図面の簡単な説明】
【図１】  本発明による方法の流れの概要図である。
【図２】  サービスメニューの１例の説明図である。
【図１】
0004550337.tif 000002
【図２】
0004550337.tif 000003